(57)【要約】      （修正有）【課題】断熱・保温効果を維持しつつ、当該屋内での作業に伴う音の反響を回避できる折板屋根の構造を提供する。【解決手段】躯体の天部に吊子１を具備したタイトフレーム２を固定する一方、複数の折板３を、それらの側縁に設けた接合部３ａで隣り合うもの同士馳締めすることにより接合し、且つそれら接合部３ａ，３ａ間に上記吊子１の一部を挟装してタイトフレーム２に固定する。前後タイトフレーム２，２間に、隣接する折板３，３の葺設範囲を仕切る仕切り部４ａと当該仕切り部４ａの下端から両側方へ延出した載置部４ｂを備えたジョイナ４を配し、隣り合うジョイナ４の載置部４ｂでデッキ板５を支持する。デッキ板５に複数の透孔６を散設し、当該デッキ板５と折板３に挟まれた空隙に保温材７を充填する。【選択図】図１
0003172849.tif 000002
【実用新案登録請求の範囲】
【請求項１】
躯体の天部に吊子（１）を具備したタイトフレーム（２）を固定する一方、複数の折板（３）を、それらの側縁に設けた接合部（３ａ）で隣り合うもの同士馳締めすることにより接合し、且つそれら接合部（３ａ，３ａ）間に上記吊子（１）の一部を挟装してタイトフレーム（２）に固定し、
前後タイトフレーム（２，２）間に、隣接する折板（３，３）の葺設範囲を仕切る仕切り部（４ａ）と当該仕切り部（４ａ）の下端から両側方へ延出した載置部（４ｂ）を備えたジョイナ（４）を配し、
隣り合うジョイナ（４）の載置部（４ｂ）でデッキ板（５）を支持する折板屋根の構造において、
前記デッキ板（５）に複数の透孔（６）を散設し、当該デッキ板（５）と折板（３）に挟まれた空隙に柔軟性を持つ保温材（７）を充填することを特徴とする折板屋根の構造。
【考案の詳細な説明】
【技術分野】
【０００１】
本考案は、金属製折板を用いた屋根の構造に関するものである。
【背景技術】
【０００２】
今日、工場や倉庫等の広面積の鉄骨建築物の屋根として折板屋根が多用されている。
このような折板屋根は、金属板を断面がほぼ波状となるように折り曲げられた長尺の折板が、隣合うもの同士で接合されて構成されている。
【０００３】
この様な折板屋根は、複数の折板が隣接するもの同士で互いに馳締めされることにより接合されて形成され、梁の上端面に固定されたタイトフレームと、タイトフレームに取り付けられた吊子とで梁上に取り付けられている。また、上記の折板屋根の下側には、ジョイナが、梁間にタイトフレームの配置間隔をおいて互いに平行に架け渡されており、隣合うジョイナによりデッキ板が支持されている（例えば特許文献１参照）。
【先行技術文献】
【特許文献】
【０００４】
【特許文献１】実用新案登録第３１５６１９２号公報
【考案の概要】
【考案が解決しようとする課題】
【０００５】
この様な折板屋根は、工場や倉庫に広く用いられており、断熱・保温を目的として、折板とデッキ板とで挟まれた空間にグラスウール等の断熱材を充填する要請がある反面、デッキ板で天井を封鎖することによって、当該屋内での作業に伴う音が反響するという問題が生じる。
【０００６】
本考案は、上記実情に鑑みてなされたものであって、断熱・保温効果を維持しつつ、当該屋内での作業に伴う音の反響を回避できる折板屋根の構造を提供することを目的とする。
【課題を解決するための手段】
【０００７】
上記課題を解決するために成された本考案による折板屋根の構造は、躯体の天部に吊子を具備したタイトフレームを固定する一方、複数の折板を、それらの側縁に設けた接合部で隣り合うもの同士馳締めすることにより接合し、且つそれら接合部間に上記吊子の一部を挟装してタイトフレームに固定し、前後タイトフレーム間に、隣接する折板の葺設範囲を仕切る仕切り部と当該仕切り部の下端から両側方へ延出した載置部を備えたジョイナを配し、隣り合うジョイナの載置部でデッキ板を支持する折板屋根の構造において、前記デッキ板に複数の透孔を散設し、当該デッキ板と折板に挟まれた空隙に柔軟性を持つ保温材を充填することを特徴とする。
【０００８】
躯体の天部とは、躯体骨組みを構成する梁、又は梁と同様に屋根材たる折板を固定できる部位又は部材を指す。
デッキ板への透孔の設け方は、平板に複数の孔を穿設する形態を採っても良いし、天板として硬直性のある網素材を用いても良い。
柔軟性を持つ保温材は、グラスウール等の繊維からなる、綿状の柔軟な素材であることが、吸音効果や遮音効果を確保する面で望ましい。
【考案の効果】
【０００９】
本考案によれば、折板屋根という簡素な構造でありながら、比較的長期に亘って雨漏りを防止できることはともより、折板と複数の透孔を散設したデッキ板に挟まれた空隙に、柔軟性を持つ保温材を充填することによって、屋内の保温や、屋内で発生した雑音の吸収及び反射・反響の回避に寄与することとなる。また、その作用効果を確保しながらも、従来の二重折板屋根等の内面側に生じる凹凸が平坦なデッキ板で封じられることによって、天井面がフラットに仕上げられ、美観が高まるのみならず、折板の内面側において気道として機能し得る凹部と室内とを区画し、柔軟材を封入することによって当該凹部を流通する空気を遮断することができる。そして、それによって、デッキ板の外に存在する空間が、当該凹部を介して外界から独立し、内外の保温性及び遮音性を充実させることができる。
【図面の簡単な説明】
【００１０】
【図１】本考案による折板屋根の構造の実施態様例を示す一部切欠した斜視図である。
【図２】本考案による折板屋根の構造の実施態様例を示す（Ａ）：横断面図と、（Ｂ）：縦断面図である。
【図３】本考案による折板屋根の構造の実施態様例を示す（Ａ）：横断面図の要部拡大図と、（Ｂ）：縦断面図の要部拡大図である。
【考案を実施するための形態】
【００１１】
以下、本考案による折板屋根の構造を図面に基づいて説明する。
本実施の形態に係る建築物の屋根は、図１に示すような構造を有している。この図において、折板屋根は、略Ｕ字状に成形された複数の折板３が、相隣接するもの同士で互いに馳締めされることにより接合されて形成され（図３（Ａ）の接合部参照）、梁８，８の上端面に固定されたタイトフレーム２と、タイトフレーム２に取り付けられた吊子１とで梁８，８上に取り付けられている（図２（Ｂ）参照）。
【００１２】
上記の折板屋根の下側には、ジョイナ４が、梁８，８間にタイトフレーム３の配置間隔をおいて互いに平行に架け渡されており、隣り合うジョイナ４，４によりデッキ板５が支持されている（図１参照）。
【００１３】
複数の折板３は、それらの側縁に設けた接合部３ａで隣り合うもの同士馳締めすることにより接合し、且つそれら接合部３ａ，３ａ間に上記吊子１の一部を挟装してタイトフレーム２に固定する（図３、及び実用新案登録第３１５６１９２号公報参照）。
上記タイトフレーム２は、図３に示すように、本体部２ａ、梁８等に固着する固定部２ｂ、折板３を下支えする支持部２ｃ、及び吊子１を固定する取付け部２ｄを備える。
【００１４】
以下、本考案による折板屋根の構造の構築手順を説明する。
当該例による折板屋根の構造は、先ず、図１に示すように、梁８の全長にわたり折板３の幅に応じた間隔でタイトフレーム２を配置して溶接にて固定し、次いで、隣り合う梁８，８において対向するタイトフレーム２，２の間にジョイナ４を架け渡し、仕切り部４ａとタイトフレーム２，２の連結板２ｅ，２ｅとを接続する。
【００１５】
ジョイナ４は、隣接する折板３，３の葺設範囲を仕切る仕切り部４ａと当該仕切り部４ａの下端から両側方へ延出した載置部４ｂを備え、前記仕切り部４ａは、デッキ板５の配置領域を区画し、隣り合うジョイナ４，４の載置部４ｂでデッキ板５を載置するフレームを形成する。当該フレームに、デッキ板５を載置し、当該デッキ板５上の仕切り部４ａで仕切られた領域に、各々折板３の全長に亘ってグラスウールからなる保温材７を、折板３における略Ｕ字状に成形された谷部の中間部に至る高さまで、その表裏へ雰囲気が流通しない様に隙間を開けずに敷設する（図２参照）。
【００１６】
次に、折板３とタイトフレーム２との結合を行う。
吊子１の係合部を折板３の接合部３ａに引っ掛け、続いて、上記タイトフレーム２の吊子１により固定された折板３の隣に、図３に示すように、次の折板３を配置し接合部３ａを重ね合わせ、両折板３，３の接合部３ａ，３ａの間に吊子１の係合部を挟み込ませる。そして、長手方向に順次馳締めしていくことによって、隣接する折板３の接合部３ａが重なり合った状態で折り込まれ、吊子１の係合部との係合関係を保った状態で結合される。
この作業を、折板３を追加しつつ順次繰り返すことにより、折板屋根とともに天井が構築される。
【００１７】
前記デッキ板５は、隣接するジョイナ４，４の載置部４ｂ，４ｂ上に定着し得る大きさに設定し、複数の透孔６を散設したものである。透孔６を散設する態様としては、デッキ板によって、屋内で生じる音声に応じて反響が生じない程度に散設する。透孔６の形態にあっても、丸孔や長孔などが挙げられるが、透孔の周囲の残余部分の幅が不定となる形状を選択することが望ましい。透孔６を設ける代わりに、デッキ板自体を網で成形しても良い。
【００１８】
本考案は、以上の如く構成され、屋内で生じた音声をデッキ板５の透孔を通してグラスウールからなる保温材７で吸収することができる。而して、屋内の保温・断熱効果を維持しつつ屋内で生じた音声の反響が軽減され、屋内における作業環境の向上に寄与することとなる。
【符号の説明】
【００１９】
１  吊子，
２  タイトフレーム，
２ａ  本体部，２ｂ  固定部，２ｃ  支持部，２ｄ  取付け部，２ｅ  連結板，
３  折板，３ａ  接合部，
４  ジョイナ，４ａ  仕切り部，４ｂ  載置部，
５  デッキ板，６  透孔，７  保温材，
８  梁，
【図１】
0003172849.tif 000003
【図２】
0003172849.tif 000004
【図３】
0003172849.tif 000005